(57)【要約】【課題】各種歯ブラシ製造においてブラシ先端部の加工は、歯肉を傷つける心配のないものでなければならない。それに加えて、大量の歯ブラシの加工が必要であり短時間で完了することが条件となる。また、その加工に新しい技術を導入し付加価値を上昇させる歯ブラシの製造を課題とした。【解決手段】各種歯ブラシのブラシ先端部を球形状に加工し且、その内外部にカルシウム、炭酸カルシウム、リン酸カルシウム、焼成カルシウム等を含浸させる課題をもって、前記ブラシ先端部に林立したブラシの溶解時結合を防止するために前記したカルシウム類を投入し、該ブラシ先端部を溶解し球形状に加工する。この技術により林立するブラシ同士は溶解結合することなく、該溶解球形部内外に前記カルシウム類は含浸する。【選択図】図１
2020137991.tif 000002
【特許請求の範囲】
【請求項１】
片手で握り往復移動することにより、歯面清掃を行なう歯ブラシであって、該ブラシ先端部の形状が球形であり、前記ブラシ先端部に位置する球形内外部にカルシウムを含浸したことを特徴とする歯ブラシ。
【請求項２】
請求項１の歯ブラシであって、林立する前記ブラシの溶解結合を防止するために投入される粉体が、歯ブラシのブラシに使用される各樹脂の溶解温度より高いか、熱硬化性であることを特徴とする前記歯ブラシ。
【請求項３】
請求項１の歯ブラシであって、林立する前記ブラシの溶解結合を防止するために投入される粉体が、歯ブラシのブラシに使用される各樹脂のモース硬度より、硬度が高いことを特徴とする前記歯ブラシ。
【請求項４】
片手で握り往復移動することにより、歯面清掃を行なう歯ブラシであって、該ブラシ先端部が球形に溶解成形される際、林立する前記ブラシの溶解結合を防止するためのカルシウム投入工程と、該ブラシ先端部の形状を球形に溶解成形する工程と、前記溶解成形されたブラシ先端部に前記投入カルシウムを含浸させる工程からなる歯ブラシの製造方法。
【発明の詳細な説明】
【技術分野】
【０００１】本発明は、歯ブラシにおけるブラシ先端が球形状であり、その内部にカルシウムを含浸する歯ブラシと、その製造方法に関する。
【背景技術】
【０００２】従来、市販される植え込み歯ブラシにおいて、その歯ブラシのブラシ先端部が球形の商品は、２０〜３５年前に販売され「人気商品」となった。しかし、製造方法及び製造工程が複雑なことなどの諸事情により１０年ほど前に製造中止となった。
【発明者が解決しょうとする課題】
【０００３】前記、ブラシ形状が球形の植え込み歯ブラシは、毛先がテーパー形状の植え込み歯ブラシ同様に、予め長さ３０ｍｍ程度に糸束を切断し、次の工程として糸束を一列に整列後、糸束両サイドより好適な温度（熱到達温度１９０℃前後）に加熱溶解することで樹脂毛先は正確に球形状となる。因に、毛先がテーパー形状の糸束の製造方法も前記した糸束同様に予め長さ３０ｍｍ程度に糸束を切断、糸束両サイドを約８ｍｍ程度、加熱した硫酸、水酸化ナトリウムの溶液に漬け（溶液を加熱することでテーパー処理が２０分程度の短時間で終了する）、次の工程で薬品の中和、水洗い、乾燥、選別の順に進みテーパー糸束が完成する。
【０００４】このように、多数の工程後に完成した毛先が球形状または、毛先がテーパー形状の好適量の糸束（１２〜３０本位、糸径により数量は異なる）を二つ折りし、歯ブラシ台座部に深さ３ｍｍ程度、穴径１．３φ〜１．６φｍｍ、に金属片（真鍮平線）をもって固定され製造される。
【０００５】しかし、前記した方法においては前もって毛先が球形状の糸束を製造する必要があり、製造工程数が多く、コスト高となる。本発明においては、予め歯ブラシの製造が完了した後、追加工程としてブラシ毛先の処理が行なわれる。
【課題を解決するための手段】
【０００６】予め、植毛が終了し且、好適な寸法に歯ブラシのブラシ部がカットされた製品のブラシ部に、カルシウム、炭酸カルシウム、リン酸カルシウム、焼成カルシウム等の溶解することのないまたは、溶解温度が前記歯ブラシのブラシ物性より高く粉体の物質を塗布し、その後、前記した歯ブラシのブラシ部に好適な温度（ナイロン６１０、６１２の場合、軟化、溶解初期に必要な１７０〜２２０℃程度）をもって加熱溶解し、歯ブラシのブラシ部先端を球形状に加工する。
【発明の効果】
【０００７】上記した製造方法において歯ブラシのブラシ先端部分を球形状に加工することにより、その製造にかかる工程数は一工程となり、後工程による実施が可能となる。それに加えて、前記したように、カルシウム、炭酸カルシウム、リン酸カルシウム、焼成カルシウム等の歯自体を構成する物質を前記ブラシ部の溶解時の接合防止のための媒体として使用することで、その部分に含浸し口腔内をアルカリ性に保つ効果があり、歯のトラブル防止となる。そして、その効果は歯磨剤に前記したカルシウム類が主成分として使用されている事実から、安心、安全といえる。
【発明を実施するための最良の形態】
【０００８】以下、本発明を実施するための最良の形態を図をもって説明する。【０００９】図１は、本発明により製造された歯ブラシのブラシ先端部分が球形状の歯ブラシを示す正面図であり、歯ブラシハンドル１の片方端に設けたブラシ台座部分の好適量の小孔に、図３で示すブラシ先端球形部２Ａが予め球形状に加工されたブラシ糸束２を金属片（真鍮平線）をもって固定した商品が、以前販売されていた前記「毛先が球歯ブラシ」である。【００１０】従来の製造方法では、前記したように、１．工程数が多くなる。２．製造設備が漠大となる。３．容易に量産が不可能となるばかりか、ブラシ糸束２の糸径が０．１３ｍｍ以下となると、図３で示すようなブラシ糸束２の前工程での製造が難かしく不可能といえる。【００１１】それを、容易な製造方法で解決したものが本発明であり図２でその方法を簡易に示した。歯ブラシハンドル１の片方端に設けたブラシ台座部分に植毛され予めカットされたブラシ糸束２（ブラシ糸束２のカットとブラシ糸束２のブラシ先端球形部２Ａの加工を一工程にて行なうことが好適といえる）の先端部に、カルシウム供給装置３排出部より、前記カルシウム、炭酸カルシウム、リン酸カルシウム、焼成カルシウム等を振り掛け（又は塗布）、次に、ブラシ先端部の樹脂が溶解する温度まで加熱された熱板４をブラシ先端部まで接近させることで、非接触溶解が始まり、ブラシ先端球形部２Ａが完成する。【００１２】前記した熱板４の加熱温度は４００〜５５０℃程度が好適であり、ブラシ糸束２先端部より１〜３ｍｍの間隔を有する位置が好適である。そして、その熱板４をゆっくりと移動することで、ブラシ先端部は球形状に溶解される。
ただし、林立するブラシ先端部においては球形状となる糸束先端溶解部が隣同士結合してしまうため、それを防止するためと、溶解部に歯の健康に有効とされるカルシウム等を、含浸することが同時に可能である。【００１３】現状における歯ブラシのブラシ部先端の加工は、飽和ポリエステル素材に対する硫酸使用のテーパー加工（前もって加工された糸束２を植毛する）と、後加工で行なう、サンドペーパーを回転してブラシ先端をダラス（ブラシ角部を丸める）方法が主流であり、この加工はナイロン素材を中心に広く使用されている。【００１４】ただし、前記したテーパー加工は、設備費用と硫酸等の劇薬を使用するため廃棄等にも問題があり、前記した「毛先が球歯ブラシ」と同様に工程数が多くなることも問題といえる。【００１５】サンドペーパーによりブラシ先端をダラス方法は、正確性に欠け、毛先が毛ば立つ、微細な粉が多量に出る、作業時間が長くコストパホーマンスが悪いなどの問題もある（サンドペーパーの番手を上げ細かくしても面粗度は溶解レベルに劣る）。【００１６】本発明は、前記した問題の全てを容易に解決することが可能であり、使用できるブラシ素材は実験の結果、ナイロンだけでなく、飽和ポリエステルにも実施することが可能である。また現在販売され本発明者が発明した円筒歯ブラシ（３６０度型歯ブラシ）のように、糸束２の直径が０．１３ｍｍ以下の細い商品であり且、糸束数が従来の植え込み歯ブラシ５００〜１、０００本程度に対して、９、０００〜２０、０００本以上ある商品であっても、前記した熱板４上において微速で一回転させるだけで、ブラシ毛先は均一な球形状となった。【００１７】前記した本発明の最重要部は、林立するブラシ間に、カルシウム等の層を溶解時に設ることにあり、この層は、溶解温度が４００℃以上であり、粉体であれば使用可能である。そして、この方法は、電動歯ブラシ、溶着歯ブラシなど全ての熱可塑性物性に対応可能である。【００１８】また、前記歯ブラシは、ブラシ端面の面粗度が高いため（端面が滑らか）、敏感な舌表面の清掃も一切の違和感なく実行でき機能面でも優れている。
【図面の簡単な説明】
【００１９】
【図１】本願発明の歯ブラシの形状を示す正面図。
【図２】本願発明の歯ブラシ先端部加工工程を示すイメージ図。
【図３】従来の球形歯ブラシのブラシ糸形状を示す正面図。
【符合の説明】
【００２０】１、  歯ブラシハンドル。
２、  ブラシ糸束。
２Ａ、ブラシ先端球形部。
３、  カルシウム供給装置。
３Ａ、含浸カルシウム。
４、  熱板。
【図１】
2020137991.tif 000003
【図２】
2020137991.tif 000004
【図３】
2020137991.tif 000005